(57)【要約】【課題】本発明は、優れた放熱効果を有する発光ダイオードランプを提供することを目的とする。【解決手段】本発明の発光ダイオードランプは、対向する上端面及び下端面を有する固定板と、前記固定板の下端面に設置される少なくとも１つの発光ダイオード光源と、前記発光ダイオード光源を囲むように前記固定板の上端面に設置される放熱器と、前記放熱器の上端に設置される電気接続部と、を備え、前記固定板には、少なくとも１つの空気対流孔が設けられ、前記固定板の両側の空気は、前記空気対流孔によって置換される。【選択図】図１
2013149364.tif 000002
【特許請求の範囲】
【請求項１】
対向する上端面及び下端面を有する固定板と、
前記固定板の前記下端面に設置される少なくとも１つの発光ダイオード光源と、
前記発光ダイオード光源を囲むように前記固定板の前記上端面に設置される放熱器と、
前記放熱器の上端に設置される電気接続部と、
を備えてなる発光ダイオードランプであって、
前記固定板には、少なくとも１つの空気対流孔が設けられ、前記固定板の両側の空気は、前記空気対流孔によって置換されることを特徴とする発光ダイオードランプ。
【請求項２】
前記固定板の外周縁部には、複数の前記空気対流孔が周方向等間隔に均一に分布されることを特徴とする請求項１に記載の発光ダイオードランプ。
【請求項３】
前記固定板には、環状溝である前記空気対流孔が前記放熱器の外周縁を囲むように設けられることを特徴とする請求項１に記載の発光ダイオードランプ。
【請求項４】
前記固定板の外周縁には、複数の前記空気対流孔が周方向等間隔に均一に分布されることを特徴とする請求項１に記載の発光ダイオードランプ。
【請求項５】
前記固定板には、複数の前記空気対流孔が前記放熱器の外周縁を囲むように周方向等間隔に均一に分布されることを特徴とする請求項１に記載の発光ダイオードランプ。
【請求項６】
前記空気対流孔は、前記固定板を垂直に貫通するか、又は前記固定板を斜めに貫通することを特徴とする請求項１〜５のいずれか一項に記載の発光ダイオードランプ。
【発明の詳細な説明】
【技術分野】
【０００１】
本発明は、ランプに関するものであり、特に発光ダイオードランプに関するものである。
【背景技術】
【０００２】
発光ダイオード（Ｌｉｇｈｔ  Ｅｍｉｔｔｉｎｇ  Ｄｉｏｄｅ，ＬＥＤ）は、高輝度、低動作電圧、低消費電力であるとともに、集積回路に対応させ易く、駆動が簡単であり、長寿命である等の利点を有することから、冷陰極蛍光管（Ｃｏｌｄ  Ｃａｔｈｏｄｅ  Ｆｌｕｏｒｅｓｃｅｎｔ  Ｌａｍｐ，ＣＣＦＬ）に代わって光源として照明分野に広く応用されており、例えば、街灯、交通信号、装飾ランプなどである。
【０００３】
通常、発光ダイオードランプに放熱装置を配置して、発光ダイオードランプの熱を外部に放出して、発光ダイオードランプの使用寿命を長くする。
【発明の概要】
【発明が解決しようとする課題】
【０００４】
しかしながら、発光ダイオードランプを室内照明に用いる場合、発光ダイオードランプは一般的に天井に取り付けられる。天井と屋根との間の空間は、密閉空間であるので、放熱装置から放出する熱を消散することができず、且つ空気対流による冷却効果も生じることができないので、発光ダイオードランプ周囲の加熱された空気が天井と屋根との間の密閉空間に滞留し、発光ダイオードランプの放熱効果が弱まり、発光ダイオードランプの使用寿命を短縮させる。
【０００５】
本発明の目的は、前記課題を解決し、優れた放熱効果を有する発光ダイオードランプを提供することである。
【課題を解決するための手段】
【０００６】
本発明に係る発光ダイオードランプは、対向する上端面及び下端面を有する固定板と、前記固定板の下端面に設置される少なくとも１つの発光ダイオード光源と、前記発光ダイオード光源を囲むように前記固定板の上端面に設置される放熱器と、前記放熱器の上端に設置される電気接続部と、を備え、前記固定板には、少なくとも１つの空気対流孔が設けられ、前記固定板の両側の空気は、前記空気対流孔によって置換される。
【発明の効果】
【０００７】
本発明の発光ダイオードランプの固定板には、少なくとも１つの空気対流孔が設けられるので、前記発光ダイオードランプを点灯して使用する場合、前記固定板の両側に位置する天井板と屋根との間の狭い空間の空気と室内空間の空気とが自然に対流することができ、前記発光ダイオードランプの放熱効率を高める。
【図面の簡単な説明】
【０００８】
【図１】本発明の第一実施形態に係る発光ダイオードランプの使用方法を示す図である。
【図２】本発明の第一実施形態に係る発光ダイオードランプの底面図である。
【図３】本発明の第二実施形態に係る発光ダイオードランプの平面図である。
【図４】本発明の第三実施形態に係る発光ダイオードランプの底面図である。
【図５】本発明の第四実施形態に係る発光ダイオードランプの平面図である。
【発明を実施するための形態】
【０００９】
図１及び図２を参照すると、本発明の第一実施形態に係る発光ダイオードランプ１０は、少なくとも１つの発光ダイオード光源１２と、電気接続部１４と、放熱器１６と、固定板１８と、を備える。
【００１０】
前記発光ダイオード光源１２は、前記固定板１８の下端面に設置されて下へ光線を発射して、前記固定板１８の下端面に発光面１８２を形成する。
【００１１】
前記放熱器１６は、前記固定板１８の前記発光面１８２に対向する上端面１８４に設置され、且つ前記発光ダイオード光源１２を囲むように設けられる。前記放熱器１６は放熱フィン１６２を有し、前記放熱フィン１６２の材料は、Ｃｕ、Ｓｎ、Ａｌ、Ａｕ、Ａｇ、Ｍｏ、Ｗ、Ｍｇ又はこれらの合金のような熱伝導率が高い金属材料、又はＡｌＯ、ＡｌＮ、ＢｅＯなどのようなセラミック材料、又はＡｌｕｍｉｔｅのような輻射率が０．７より大きい（ｅｍｉｓｓｉｖｉｔｙ＞０．７）高輻射材料を用いる。前記発光ダイオード光源１２が生じる熱は、前記放熱フィン１６２によって放熱される。
【００１２】
前記電気接続部１４は、前記放熱器１６の上端に設置される。前記電気接続部１４は、Ｅ１４、Ｅ１７、Ｅ２６、Ｅ２７、ＧＵ１０、ＰＡＲ３０、ＭＲ１６などのような前記発光ダイオード光源１２の作動に必要とされる電気エネルギーを供給するために用いられる口金である。
【００１３】
前記発光ダイオードランプ１０は、天井板２０に直接に設置される。前記天井板２０には、取付孔２０２が設けられており、前記取付孔２０２の内径は、前記固定板１８の外径と同じである。前記発光ダイオードランプ１０は、前記固定板１８が前記取付孔２０２内に嵌合されることによって固定される。前記天井板２０の上方には屋根３０があり、前記天井板２０と前記屋根３０との間には、狭い空間が存在する。前記発光ダイオードランプ１０は、前記天井板２０と前記屋根３０との間の狭い空間に位置する。前記固定板１８には、少なくとも１つの空気対流孔１８０が設けられる。前記発光ダイオードランプ１０を点灯すると、前記放熱器１６によって放出される熱は、前記天井板２０と前記屋根３０との間の狭い空間内の空気を加熱して、高温の空気を形成し、前記高温の空気と前記狭い空間の外側の冷たい空気とは、前記空気対流孔１８０によって置換されて、前記天井板２０と前記屋根３０との間の狭い空間に滞留した熱を消散する。本実施形態において、複数の円形の空気対流孔１８０が前記発光ダイオード光源１２を囲む前記固定板１８の外周縁部に周方向等間隔に均一に分布される。
【００１４】
図３を参照すると、本発明の第二実施形態に係る発光ダイオードランプ１０において、前記第一実施形態に係る発光ダイオードランプ１０と共通する部分は、前記第一実施形態と同符号を付して詳細な説明を省略する。本実施形態において、前記第一実施形態と異なる部分は、前記固定板１８には、環状溝である空気対流孔１８０ａが前記放熱器１６の外周縁を囲むように設けられ、前記空気対流孔１８０ａの外側に位置する前記固定板１８の外縁板１８ａと前記放熱器１６との間には、固定装置（図示せず）が設置されて、前記外縁板１８ａが脱落しないようにする。
【００１５】
図４を参照すると、本発明の第三実施形態に係る発光ダイオードランプにおいて、前記第一実施形態に係る発光ダイオードランプ１０と共通する部分は、前記第一実施形態と同符号を付して詳細な説明を省略する。本実施形態において、前記第一実施形態と異なる部分は、複数の矩形の空気対流孔１８０ｂが前記発光ダイオード光源１２を囲んで前記固定板１８の外周縁に周方向等間隔に均一に分布されることである。
【００１６】
図５を参照すると、本発明の第四実施形態に係る発光ダイオードランプにおいて、前記第一実施形態に係る発光ダイオードランプ１０と共通する部分は、前記第一実施形態と同符号を付して詳細な説明を省略する。本実施形態において、前記第一実施形態と異なる部分は、前記固定板１８には、複数の矩形の空気対流孔１８０ｃが前記放熱器１６の外周縁を囲むように周方向等間隔に均一に分布されることである。
【００１７】
前記空気対流孔１８０、１８０ａ、１８０ｂ、１８０ｃは、平板状の前記固定板１８を垂直に貫通するか、又は平板状の前記固定板１８を斜めに貫通して、前記固定板１８の両側の空気が置換して対流するようにする。
【００１８】
本発明の発光ダイオードランプの固定板には、少なくとも１つの空気対流孔が設けられるので、前記発光ダイオードランプを点灯して使用する場合、前記固定板の両側に位置する天井板と屋根との間の狭い空間の空気と室内空間の空気とが自然に対流することができ、前記発光ダイオードランプの放熱効率を高める。
【００１９】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲によって規定される。
【符号の説明】
【００２０】
１０  発光ダイオードランプ
１２  発光ダイオード光源
１４  電気接続部
１６  放熱器
１８  固定板
１８ａ  外縁板
２０  天井板
３０  屋根
１８０、１８０ａ、１８０ｂ、１８０ｃ  空気対流孔
１８２  発光面
１８４  上端面
２０２  取付孔
【図１】
2013149364.tif 000003
【図２】
2013149364.tif 000004
【図３】
2013149364.tif 000005
【図４】
2013149364.tif 000006
【図５】
2013149364.tif 000007